(57)【要約】      （修正有）【課題】外部から加わる衝撃等の外力によって生じるカバーのクラックや割れなどを低減することができる機器本体を備えた携帯型電子機器を提供する。【解決手段】携帯型電子機器としてのリスト機器の機器本体１０は、ケース（トップケース３０、ボトムケース３３）と、ケースの内側の収容部（内部空間３６）に配置されている表示部７０と、平面視で、表示部７０と重なるように、且つ収容部３６の開口部を塞ぐようにケースに取り付けられている透光性カバー７１と、を含み、透光性カバー７１の周縁領域は、緩衝性を有する緩衝部材（カバー保持部７５）を介してケースに取り付けられている。【選択図】図４
2018179544.tif 000002
【特許請求の範囲】
【請求項１】
ケースと、
前記ケースの内側の収容部に配置されている表示部と、
平面視で、前記表示部と重なるように、且つ前記収容部の開口部を塞ぐように前記ケースに取り付けられている透光性カバーと、
を含み、
前記透光性カバーの周縁領域は、緩衝性を有する緩衝部材を介して、前記ケースに取り付けられている、
携帯型電子機器。
【請求項２】
請求項１において、
前記緩衝部材は、接続部材によって前記ケースに取り付けられている、
携帯型電子機器。
【請求項３】
請求項１において、
前記緩衝部材は、緩衝性を有する接着材または粘着材によって構成されている、
携帯型電子機器。
【請求項４】
請求項１ないし請求項３のいずれか一項において、
前記透光性カバーの前記表示部と対向する側の内面の周縁領域と、
前記透光性カバーの前記内面と接続している側面と、
に前記緩衝部材が配置されている、
携帯型電子機器。
【請求項５】
請求項４において、
前記ケースの前記開口部側には、前記透光性カバーの周縁に沿って凸状に突出している周状の第１の凸部があり、
前記第１の凸部と、前記透光性カバーの前記側面とは、前記緩衝部材を介して取り付けられ、
前記ケースの前記開口部側には、平面視で、前記収容部の中心方向に凸状に突出している周状の第２の凸部があり、
前記透光性カバーの前記周縁領域に位置する前記内面と、前記第２の凸部とは、前記緩衝部材を介して取り付けられている、
携帯型電子機器。
【請求項６】
請求項３または請求項４において、
前記透光性カバーと、前記透光性カバーに対向している前記ケースの表面との間に、スペーサーが配置されている、
携帯型電子機器。
【請求項７】
ケースと、
前記ケースの内側の収容部に配置されている表示部と、
平面視で、前記表示部と重なるように、且つ前記収容部の開口部を塞ぐように前記ケースに取り付けられている透光性カバーと、
前記透光性カバーの周縁に沿って配置されている環状の台座と、
を含み、
前記透光性カバーの前記表示部と対向している側の内面の周縁領域が、前記台座に接続部材を介して取り付けられ、
前記台座の前記透光性カバー側とは反対側の面が、緩衝性を有する緩衝部材を介して前記ケースに取り付けられている、
携帯型電子機器。
【請求項８】
請求項７において、
前記緩衝部材は、緩衝性を有する接着材または粘着材によって構成されている、
携帯型電子機器。
【発明の詳細な説明】
【技術分野】
【０００１】
本発明は、携帯型電子機器に関する。
【背景技術】
【０００２】
近年、携帯型電子機器の一例として、種々のセンサーを備えている腕時計型の電子機器が各社から多く商品化されてきている。例えば、特許文献１には、このような腕時計型の電子機器として、ケース内部に計測部や表示部を配置し、それらの構成要素を保護するための透明なカバー（透光性カバー）をケース（上胴）に直に取り付けている電子時計が記載されている。
【先行技術文献】
【特許文献】
【０００３】
【特許文献１】特開平１１−１０９０５５号公報
【発明の概要】
【発明が解決しようとする課題】
【０００４】
しかしながら、上述のような携帯型電子機器としての電子腕時計では、カバーがケースにリジッドに固定されているため、電子腕時計に外部から衝撃等の外力が加わったとき、その外力がカバーに伝わり易いため、カバーにクラックや割れなどが発生してしまう虞があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る携帯型電子機器は、ケースと、前記ケースの内側の収容部に配置されている表示部と、平面視で、前記表示部と重なるように、且つ前記収容部の開口部を塞ぐように前記ケースに取り付けられている透光性カバーと、を含み、前記透光性カバーの周縁領域は、緩衝性を有する緩衝部材を介して、前記ケースに取り付けられていることを特徴とする。
【０００７】
本適用例によれば、透光性カバーの周縁領域が緩衝性を有する緩衝部材を介して、ケースに取り付けられていることから、携帯型電子機器のケースなどに外部から衝撃等の外力が加わったとき、その外力を緩衝部材によって吸収することができる。これにより、透光性カバーに伝わる外力を減少させることができるため、透光性カバーに生じるクラックや割れなどを低減させるができる。
【０００８】
［適用例２］上記適用例に記載の携帯型電子機器において、前記緩衝部材は、接続部材によって前記ケースに取り付けられていることが好ましい。
【０００９】
本適用例によれば、緩衝部材を介して透光性カバーを、接続部材によりケースに確実に固定することができる。
【００１０】
［適用例３］上記適用例に記載の携帯型電子機器において、前記緩衝部材は、緩衝性を有する接着材または粘着材によって構成されていることが好ましい。
【００１１】
本適用例によれば、緩衝性を有する接着材または粘着材を緩衝部材として用いることにより、容易に簡易な構成で透光性カバーをケースに接続することができる。
【００１２】
［適用例４］上記適用例に記載の携帯型電子機器において、前記透光性カバーの前記表示部と対向する側の内面の周縁領域と、前記透光性カバーの前記内面と接続している側面と、に前記緩衝部材が配置されていることが好ましい。
【００１３】
本適用例によれば、表示部と対向する透光性カバーの内面の周縁領域と、透光性カバーの内面と接続している側面との双方に配置されている緩衝性を有する緩衝部材により、表示部と対向する方向と側面方向との両方向における緩衝作用を得ることができる。
【００１４】
［適用例５］上記適用例に記載の携帯型電子機器において、前記ケースの前記開口部側には、前記透光性カバーの周縁に沿って凸状に突出している周状の第１の凸部があり、前記第１の凸部と、前記透光性カバーの前記側面とは、前記緩衝部材を介して取り付けられ、前記ケースの前記開口部側には、平面視で、前記収容部の中心方向に凸状に突出している周状の第２の凸部があり、前記透光性カバーの前記周縁領域に位置する前記内面と、前記第２の凸部とは、前記緩衝部材を介して取り付けられていることが好ましい。
【００１５】
本適用例によれば、ケースの開口部側にあって透光性カバーの周縁に沿って凸状に突出している周状の第１の凸部と、透光性カバーの側面との間、およびケースの開口部側にあって、平面視で、収容部の中心方向に凸状に突出している周状の第２の凸部と、表示部と対向している透光性カバーの内面との間に配置されている緩衝性を有する緩衝部材により、表示部と対向する方向と側面方向との両方向における緩衝作用を得ることができる。
【００１６】
［適用例６］上記適用例に記載の携帯型電子機器において、前記透光性カバーと、前記透光性カバーに対向している前記ケースの表面との間に、スペーサーが配置されていることが好ましい。
【００１７】
本適用例によれば、透光性カバーと、透光性カバーに対向しているケースとの間に配置されているスペーサーにより、所望の厚さの接着材または粘着材層などの緩衝部材を設けることができ、緩衝部材による緩衝作用をより確実に得ることができる。
【００１８】
［適用例７］本適用例に係る携帯型電子機器は、ケースと、前記ケースの内側の収容部に配置されている表示部と、平面視で、前記表示部と重なるように、且つ前記収容部の開口部を塞ぐように前記ケースに取り付けられている透光性カバーと、前記透光性カバーの周縁に沿って配置されている環状の台座と、を含み、前記透光性カバーの前記表示部と対向している側の内面の周縁領域が、前記台座に接続部材を介して取り付けられ、前記台座の前記透光性カバー側とは反対側の面が、緩衝性を有する緩衝部材を介して、前記ケースに取り付けられていることを特徴とする。
【００１９】
本適用例によれば、透光性カバーの貼り付けられた環状の台座が、緩衝性を有する緩衝部材を介してケースに取り付けられていることから、携帯型電子機器のケースなどに外部から衝撃等の外力が加わったとき、その外力を緩衝部材によって吸収することができる。これにより、透光性カバーに伝わる外力を減少させることができるため、透光性カバーに生じるクラックや割れなどを低減させるができる。
【００２０】
［適用例８］上記適用例に記載の携帯型電子機器において、前記緩衝部材は、緩衝性を有する接着材または粘着材によって構成されていることが好ましい。
【００２１】
本適用例によれば、緩衝性を有する接着材または粘着材を緩衝部材として用いることにより、容易に簡易な構成で透光性カバーをケースに接続することができる。
【図面の簡単な説明】
【００２２】
【図１】携帯型電子機器の第１実施形態に係るリスト機器の表側斜視図。
【図２】第１実施形態に係るリスト機器の平面図。
【図３】第１実施形態に係るリスト機器の概略構成を示す分解斜視図。
【図４】第１実施形態に係るリスト機器の機器本体の概略構成を示す図２のＡ−Ａ断面図。
【図５】図４の部分拡大図。
【図６】透光性カバーの保持部の変形例１を示す図であり、図５に相当する部分拡大図。
【図７】透光性カバーの保持部の変形例２を示す図であり、図５に相当する部分拡大図。
【図８】透光性カバーの保持部の変形例３を示す図であり、図５に相当する部分拡大図。
【図９】第２実施形態に係るリスト機器の機器本体の概略構成を示し、図４に相当する断面図。
【図１０】図９の部分拡大図。
【発明を実施するための形態】
【００２３】
以下、本発明の実施形態について説明する。なお、以下で説明する実施形態は、特許請求の範囲に記載された本発明の内容を不当に限定するものではない。また、本実施形態で説明される構成の全てが、本発明の必須構成要件であるとは限らない。
【００２４】
また、本明細書では、第１実施形態および第２実施形態において、本発明による携帯型電子機器としてリスト機器を例示して説明する。以下の説明では、説明の便宜上、リスト機器の透光性カバー側を表（表側）、透光性カバーとは反対側（装着時にユーザーに接する側）を裏（裏側）として説明することがある。また、第１実施形態および第２実施形態に係るリスト機器は、ランナーズウォッチ、デュアスロンやトライアスロン等マルチスポーツ対応のランナーズウォッチ、および衛星測位システム、例えばＧＰＳを搭載したＧＰＳウォッチ、等に広く適用できる。
【００２５】
（第１実施形態）
先ず、図１、および図２を参照して、本発明による携帯型電子機器の第１実施形態に係るリスト機器の概要について説明する。図１は、携帯型電子機器の第１実施形態に係るリスト機器の表側斜視図である。図２は、第１実施形態に係るリスト機器の平面図である。
【００２６】
図１および図２に示すように、携帯型（ウェアラブル型）電子機器の一例としてのリスト機器１は、ユーザー（装着者）の所与の部位（例えば、手首）に装着され、ユーザーの位置情報や運動情報などを検出することができる。リスト機器１は、ユーザーに装着されて位置情報や運動情報などを検出する機器本体１０と、機器本体１０に取り付けられ機器本体１０をユーザーに装着するための第１のバンド部３２および第２のバンド部３７と、を有する。なお、リスト機器１には、ユーザーの位置情報や運動情報に加えて、例えば脈波情報などの生体情報を検出する機能や時刻情報などを取得する機能を設けることができる。
【００２７】
機器本体１０は、ユーザーへの装着側にケースとしてのボトムケース３３が配置され、ユーザーへの装着側と反対側には、表側に開口する開口部４０（図３参照）を有するケースとしてのトップケース３０が配置されている。ここで、ボトムケース３３とトップケース３０とによって、ケースが構成される。機器本体１０の表側（トップケース３０）に位置する開口部４０の外側には、トップケース３０から表側に向かって突出する凸部としてのカバー取付部３８が設けられるとともに、このカバー取付部３８の内側にカバー取付部３８と並んで配置されて内部構造を保護する天板部分（外壁）としての透光性カバー（本例では透明のガラス板）７１が設けられている。透光性カバー７１は、平面視で、後述する表示部７０と重なるようにトップケース３０の開口部４０を塞ぐように配置されている。機器本体１０の表側（トップケース３０）の側面には、複数の操作ボタン８０，８１が設けられている。なお、カバー取付部３８には、表側から視認可能な表示を設けることができる。
【００２８】
また、機器本体１０は、透光性カバー７１の直下に配置されている液晶ディスプレイ（ＬＣＤ）などで構成される表示部７０と、透光性カバー７１の外縁部分とカバー取付部３８との間に配置されているリング状のカバー保持部７５と、カバー保持部７５をカバー取付部３８に接続する接続部材７６（図５参照）と、を有している。機器本体１０は、透光性カバー７１を介して、表示部７０の表示をユーザーが閲覧可能な構成としてもよい。つまり、本実施形態のリスト機器１では、検出した位置情報や運動情報、或いは時刻情報等の種々の情報を表示部７０に表示し、当該表示を機器本体１０のトップ側からユーザーに提示するものであってもよい。また、ボトムケース３３の両側には、第１のバンド部３２および第２のバンド部３７との接続部である一対のバンド装着部（不図示）が設けられている。
【００２９】
次に、図３、図４、および図５を参照して、機器本体１０の断面構造について、その構成例を説明する。図３は、第１実施形態に係るリスト機器の概略構成を示す分解斜視図である。図４は、第１実施形態に係るリスト機器の概略構成を示す図２のＡ−Ａ断面図である。図５は、第１実施形態に係るリスト機器の概略構成を示す、図４の部分拡大図である。なお、図５は、透光性カバー７１のトップケース３０への取り付け部分を拡大した図である。
【００３０】
機器本体１０は、図３、図４および図５に示すように、トップケース３０と、ボトムケース３３と、トップケース３０の開口部４０を塞ぐ透光性カバー７１と、に囲まれたケースの内側の密閉空間である収容部としての内部空間３６が設けられている。そして、この内部空間３６に、表示部７０、リスト機器１を構成する要素部品である、例えば回路基板４５、電子部品４６、ＧＰＳ（Global Positioning System）アンテナ９０、センサーの一例としての地磁気センサー５５、二次電池６０、および振動部９５などが収納されている。ただし、機器本体１０は、図４に示す構成に限定されず、例えば気圧センサーなどの他のセンサーや電子部品などを追加してもよい。
【００３１】
図４および図５に示すように、機器本体１０は、トップケース３０の表側、換言すればトップケース３０の開口部４０（図３参照）側の外面から、透光性カバー７１の周縁に沿ってリング状の凸状に突出する第１の凸部としてのカバー取付部３８を有している。また、機器本体１０は、平面視で、トップケース３０の内側に周状に突出する第２の凸部としての突起部７２と、突起部７２から更に内側に突出する載置部７３とを有している。第２の凸部としての突起部７２の表側の上面７２ｆおよびカバー取付部３８の内側の内周面３８ａには、カバー保持部７５を介して透光性カバー７１が接続部材７６によって接続され、載置部７３の表側（透光性カバー７１側）には、表示部７０が載置されている。このような構成により、トップケース３０と、透光性カバー７１と、表示部７０とに囲まれた空間４２が形成される。
【００３２】
なお、上述では、カバー取付部３８がトップケース３０の表側にリング状に突出する構成を例示して説明したが、カバー取付部３８は、トップケース３０とは別体で構成され、トップケース３０に固定されている構成であってもよい。
【００３３】
機器本体１０の天板部分の透光性カバー７１は、表示部７０と対向する側の面である内面７１ｒと、内面７１ｒと反対側の表側に位置する面の外面７１ｆと、内面７１ｒと接続する周縁であって、平面視で略円周状の側面である外周側面７１ｓと、を備えた略平板上のガラス板で構成されている。
【００３４】
なお、透光性カバー７１は、透明のガラス板に限らず、表示部７０を閲覧可能な透明部材であり、表示部７０を構成する液晶ディスプレイ（ＬＣＤ）などのトップケース３０とボトムケース３３との内部（図４に示す内部空間３６）に収容される構成を保護可能な程度の強度を有する部材であれば、透明のプラスチックなど、ガラス以外の材料とすることができる。
【００３５】
表示部７０を構成する液晶ディスプレイ（ＬＣＤ）では、種々の検出モードに応じて、例えば、ＧＰＳや地磁気センサー５５を用いた位置情報、不図示の角速度センサーや加速度センサーなどを用いた運動量などの運動情報、不図示の脈波センサーなどを用いた脈拍数などの生体情報、もしくは現在時刻などの時刻情報などが表示される。そして、この表示は、透光性カバー７１を介してユーザーが閲覧（視認）することができる。
【００３６】
カバー取付部３８の内周面３８ａ側には、透光性カバー７１がカバー取付部３８と並ぶように配置されている。透光性カバー７１は、その外周側面７１ｓ側に位置する周縁領域の部分が保持する緩衝部材としてのカバー保持部７５に当接し、カバー保持部７５が接着剤（接着材）などの接続部材７６によってカバー取付部３８および突起部７２に取り付けられることによってトップケース３０に接続されている。
【００３７】
具体的には、透光性カバー７１の円周状の外周側面７１ｓおよび表示部７０側の内面７１ｒは、緩衝部材としてのカバー保持部７５の内側面７５ａに圧入され、透光性カバー７１の内面７１ｒの周縁領域の部分がカバー保持部７５の内底面７５ｂに当接して保持されている。そして、カバー保持部７５の外周側面７５ｓとカバー取付部３８の内周面３８ａとが、およびカバー保持部７５の透光性カバー７１の内面７１ｒと反対側に位置する裏面７５ｒと突起部７２の上面７２ｆとが、例えばエポキシ系の樹脂を主剤とするエポキシ系接着剤や粘着テープなどの接続部材７６によって接続されている。
【００３８】
このような構成により、カバー保持部７５を介して透光性カバー７１を、接続部材７６により機器本体１０（トップケース３０）に確実に固定することができる。つまり、透光性カバー７１は、機器本体１０（トップケース３０）から脱落しないように保持される。
【００３９】
なお、透光性カバー７１をカバー保持部７５に圧入せず、透光性カバー７１の周縁領域とカバー保持部７５とを接着剤（接着材）や粘着剤（粘着材）などの接続部材７６と同様な接続部材によって接続する構成としてもよい。
【００４０】
緩衝部材としてのカバー保持部７５は、機器本体１０に外部から衝撃等の外力が加わったとき、自らが弾性変形することによってその外力を吸収し、外力が透光性カバー７１に伝わらないようにする、所謂緩衝機能を有している。カバー保持部７５は、例えば常温でゴム状弾性を示すエラストマー（加硫ゴム（合成ゴム）、シリコーンゴム、ウレタン樹脂など）を用いて形成することができる。
【００４１】
以上説明した第１実施形態に係る携帯型電子機器としてのリスト機器１によれば、透光性カバー７１が緩衝機能を有するカバー保持部７５を介してトップケース３０に接続されていることによって、機器本体１０に外部から衝撃等の外力が加わったとき、その外力をカバー保持部７５が弾性変形することによって吸収し、衝撃の透光性カバー７１への伝搬を低減することができる。これにより、外力（衝撃）によって透光性カバー７１に生じるクラックや割れなどを低減させることができる。
【００４２】
（機器本体の変形例）
次に、リスト機器１（機器本体１０）の構成の変形例１〜変形例３について、それぞれ図面を参照しながら説明する。以下の変形例１〜変形例３は、上述した第１実施形態における機器本体１０を構成するトップケース３０と透光性カバー７１との接続部分の構成が異なっている。なお、変形例１から変形例３に係る以下の説明では、上述の第１実施形態と異なる形態や構成を中心に説明し、同様な形態や構成については、同符号を付し、その説明を省略する。
【００４３】
（変形例１）
先ず、機器本体の構成の変形例１を、図６を参照しながら説明する。図６は、透光性カバーの保持部の変形例１を示す図であり、図５に相当する部分拡大図である。
【００４４】
図６に示すように、変形例１に係る機器本体１０ｂは、トップケース３０の表側、換言すればトップケース３０の開口部４０（図３参照）側の外面からリング状に突出するカバー取付部３８を有している。また、機器本体１０ｂは、トップケース３０の内側に突出する突起部７２と、突起部７２から更に内側に突出する載置部７３とを有している。突起部７２の表側の上面７２ｆおよびカバー取付部３８の内側の内周面３８ａには、保持部材１７５を介して透光性カバー７１が接着剤や粘着剤などで構成される緩衝部材としての接続部１８１によって接続され、載置部７３の表側（透光性カバー７１側）には、表示部７０が載置されている。
【００４５】
透光性カバー７１は、実施形態１と同様に、カバー取付部３８の内周面３８ａ側にあって、カバー取付部３８と透光性カバー７１とが並ぶように配置されている。透光性カバー７１は、その外周側面７１ｓ側に位置する周縁領域の部分が、保持部材１７５の内側にリング状に設けられた凹部１８５に載置され、外周側面７１ｓが保持部材１７５の凹部１８５の内側面１７５ａに、例えばエポキシ系接着剤などの接着剤１８２によって固定されている。そして、透光性カバー７１は、保持部材１７５の外周側面１７５ｓおよび裏面１７５ｒがそれぞれ緩衝部材としての接続部１８１によってカバー取付部３８の内周面３８ａおよび突起部７２の上面７２ｆに取り付けられることによってトップケース３０に接続される。
【００４６】
なお、透光性カバー７１の外周側面７１ｓと保持部材１７５の凹部１８５の内側面１７５ａとの固定は、接着剤１８２の他に、粘着テープなどを用いることができる。また、透光性カバー７１の内面７１ｒは、保持部材１７５の凹部１８５の内底部に接着剤１８２と同様な部材で接続されてもよいし、載置されている状態であってもよい。
【００４７】
このような構成により、保持部材１７５を介して透光性カバー７１を、緩衝部材としての接続部１８１によって機器本体１０ｂのトップケース３０に確実に固定することができる。つまり、透光性カバー７１は、機器本体１０ｂ（トップケース３０）から脱落しないように保持される。
【００４８】
緩衝部材としての接続部１８１は、機器本体１０ｂに外部から衝撃等の外力が加わったとき、自らが弾性変形することによってその外力を吸収し、外力が透光性カバー７１に伝わらないようにする、所謂緩衝機能を有している。本変形例１の接続部１８１は、緩衝性を有する接着剤または粘着剤によって構成されることができる。緩衝性を有する接着剤または粘着剤としては、例えば合成ゴム系、シリコーン系、ポリイミド系、ウレタン系などの樹脂を主原料とし、硬化後の接着剤または粘着剤の状態において、自らが弾性変形可能な性質を有していることが好ましい。
【００４９】
上述した変形例１に係る機器本体１０ｂによれば、透光性カバー７１が保持部材１７５を介して緩衝機能を有する接続部１８１によってトップケース３０に接続されている。これにより、機器本体１０ｂに外部から衝撃等の外力が加わったとき、その外力を接続部１８１が弾性変形することによって吸収し、衝撃の透光性カバー７１への伝搬を低減することができる。これにより、外力（衝撃）によって透光性カバー７１に生じるクラックや割れなどを低減させるができる。
【００５０】
（変形例２）
次に、機器本体の構成の変形例２を、図７を参照しながら説明する。図７は、透光性カバーの保持部の変形例２を示す図であり、図５に相当する部分拡大図である。
【００５１】
図７に示すように、変形例２に係る機器本体１０ｃは、トップケース３０の表側、換言すればトップケース３０の開口部４０（図３参照）側の外面からリング状に突出するカバー取付部３８を有している。また、機器本体１０ｃは、トップケース３０の内側に突出する突起部７２と、突起部７２から更に内側に突出する載置部７３とを有している。突起部７２の表側の上面７２ｆおよびカバー取付部３８の内側の内周面３８ａには、透光性カバー７１が接着剤や粘着剤などで構成される緩衝部材２７５によって接続され、載置部７３の表側（透光性カバー７１側）には、表示部７０が載置されている。
【００５２】
トップケース３０の内側に突出する突起部７２には、上面７２ｆから表側に向かって突出する突起部２７８が設けられている。突起部２７８は、平面視で、対向する透光性カバー７１の外周領域と重なる位置に設けられ、透光性カバー７１の外周側面７１ｓに沿った円周上に複数が配置されている。突起部２７８は、突起部７２に載置される透光性カバー７１の内面７１ｒと突起部７２の上面７２ｆとの間の隙間を確保するためのスペーサーとしての機能を有している。したがって、載置された透光性カバー７１の状態を安定させるためには、それぞれ所定の間隔を有して配置された少なくとも３個の突起部７２を設けることが望ましい。本例の突起部２７８は、透光性カバー７１側の先端部が半球状に成形された円筒状のピンによって構成されている。
【００５３】
透光性カバー７１は、実施形態１と同様に、カバー取付部３８の内周面３８ａ側にあって、カバー取付部３８と透光性カバー７１とが並ぶように配置されている。透光性カバー７１は、その外周側面７１ｓが、カバー取付部３８の内周面３８ａと対向し、突起部７２の上面７２ｆから突出する突起部２７８に当接するように載置される。そして、透光性カバー７１の外周側面７１ｓとカバー取付部３８の内周面３８ａとの間、および透光性カバー７１の周縁領域における突起部７２の上面７２ｆと透光性カバー７１の内面７１ｒとの間には、例えば接着剤や粘着剤などの緩衝部材２７５が配置されている。このように、透光性カバー７１は、緩衝部材２７５によってカバー取付部３８および突起部７２に取り付けられることによってトップケース３０に接続される。つまり、透光性カバー７１は、機器本体１０ｃ（トップケース３０）から脱落しないように保持される。
【００５４】
緩衝部材２７５は、機器本体１０ｃに外部から衝撃等の外力が加わったとき、自らが弾性変形することによってその外力を吸収し、外力が透光性カバー７１に伝わらないようにする、所謂緩衝機能を有している。本変形例２の緩衝部材２７５は、緩衝性を有する接着剤または粘着剤によって構成されている。緩衝性を有する接着剤または粘着剤としては、例えば合成ゴム系、シリコーン系、ポリイミド系、ウレタン系などの樹脂を主原料とし、硬化後の接着剤または粘着剤の状態において、自らが弾性変形可能な性質を有していることが好ましい。
【００５５】
上述した変形例２に係る機器本体１０ｃによれば、透光性カバー７１が緩衝機能を有する緩衝部材２７５によってトップケース３０に接続されている。これにより、機器本体１０ｃに外部から衝撃等の外力が加わったとき、その外力を緩衝部材２７５が弾性変形することによって吸収し、衝撃の透光性カバー７１への伝搬を低減することができる。これにより、外力（衝撃）によって透光性カバー７１に生じるクラックや割れなどを低減させるができる。
【００５６】
なお、上述した変形例２では、突起部７２には、上面７２ｆから表側に向かって突出する突起部２７８として、先端部が半球状に成形された円筒状のピンによって形成されている構成例で説明したがこれに限らない。例えば弾性を有する樹脂によって先端が半球状のバンプを形成し、このバンプを突起部２７８として用いることができる。このように弾性を有す突起部２７８（スペーサー）とすることによって、透光性カバー７１の表側と裏側とを結ぶ方向の外力の吸収を更に効果的に行うことができ、外力（衝撃）によって透光性カバー７１に生じるクラックや割れなどを更に低減させるができる。
【００５７】
（変形例３）
次に、機器本体の構成の変形例３を、図８を参照しながら説明する。図８は、透光性カバーの保持部の変形例３を示す図であり、図５に相当する部分拡大図である。
【００５８】
図８に示すように、変形例３に係る機器本体１０ｄは、トップケース３０の表側、換言すればトップケース３０の開口部４０（図３参照）側の外面からリング状に突出するカバー取付部３８を有している。また、機器本体１０ｃは、トップケース３０の内側に突出する突起部７２と、突起部７２から更に内側に突出する載置部７３とを有している。突起部７２の表側の上面７２ｆおよびカバー取付部３８の内側の内周面３８ａには、透光性カバー７１が接着剤や粘着剤などで構成される緩衝部材２７５によって接続され、載置部７３の表側（透光性カバー７１側）には、表示部７０が載置されている。
【００５９】
トップケース３０の内側に突出する突起部７２の内側（先端側）の端部には、上面７２ｆから表側に向かって突出する堤部２７９が設けられている。堤部２７９は、突起部７２の内側（先端側）の端部に沿ったリング状に設けられている。堤部２７９は、透光性カバー７１の周縁領域における突起部７２の上面７２ｆと透光性カバー７１の内面７１ｒとの間に配置される緩衝部材２７５の表示部７０側への流れ出しを減少させるための突堤としての機能を有している。
【００６０】
透光性カバー７１は、実施形態１と同様に、カバー取付部３８の内周面３８ａ側にあって、カバー取付部３８と透光性カバー７１とが並ぶように配置されている。透光性カバー７１は、その外周側面７１ｓが、カバー取付部３８の内周面３８ａと対向し、周縁領域の内面７１ｒが突起部７２の上面７２ｆと対向するように配置される。そして、透光性カバー７１の外周側面７１ｓとカバー取付部３８の内周面３８ａとの間、および透光性カバー７１の周縁領域における突起部７２の上面７２ｆと透光性カバー７１の内面７１ｒとの間には、例えば接着剤や粘着剤などの緩衝部材２７５が配置されている。このように、透光性カバー７１は、緩衝部材２７５によってカバー取付部３８および突起部７２に取り付けられることによってトップケース３０に接続される。つまり、透光性カバー７１は、機器本体１０ｃ（トップケース３０）から脱落しないように保持される。
【００６１】
なお、緩衝部材２７５は、前述の変形例２と同様であるので説明を省略する。また、堤部２７９は、前述した変形例２の突起部２７８と同様なスペーサーとしての機能を持たせ、透光性カバー７１の内面７１ｒが堤部２７９に当接される構成であってもよい。
【００６２】
上述した変形例３に係る機器本体１０ｄによれば、透光性カバー７１が堤部２７９によって流れ出しを低減させた緩衝機能を有する緩衝部材２７５によってトップケース３０に接続されている。これにより、機器本体１０ｄに外部から衝撃等の外力が加わったとき、その外力を緩衝部材２７５が弾性変形することによって吸収し、衝撃の透光性カバー７１への伝搬を低減することができる。これにより、外力（衝撃）によって透光性カバー７１に生じるクラックや割れなどを低減させるができる。
【００６３】
（第２実施形態）
次に、図９、および図１０を参照して、本発明による携帯型電子機器の第２実施形態に係るリスト機器の機器本体の概要について説明する。図９は、第２実施形態に係るリスト機器の機器本体の概略構成を示し、図４に相当する断面図である。図１０は、図９の部分拡大図であり、図５に相当する部分断面図である。なお、図１０は、透光性カバー７１のトップケース３０への取り付け部分を拡大した図である。また、第２実施形態に係る以下の説明では、上述の第１実施形態と異なる機器本体の形態や構成を中心に説明し、同様な形態や構成であるリスト機器１についての説明は省略する。また、機器本体においても、第１実施形態と同様な形態や構成については、同符号を付し、その説明を省略することがある。
【００６４】
図９および図１０に示すように、機器本体１０ｅは、ユーザーへの装着側にケースとしてのボトムケース３３が配置され、ユーザーへの装着側と反対側には、表側に開口する開口部４０（図３参照）を有するケースとしてのトップケース３０が配置されている。ここで、ボトムケース３３とトップケース３０とによって、ケースが構成される。機器本体１０ｅの表側（トップケース３０）に位置する開口部４０の外側には、台座取付部３３８が設けられるとともに、この台座取付部３３８の表側に取り付けられたリング状の台座３７５の内側に台座３７５と並んで配置されて内部構造を保護する天板部分（外壁）としての透光性カバー（本例ではガラス板）７１が設けられている。透光性カバー７１は、平面視で、後述する表示部７０と重なるようにトップケース３０の開口部４０を塞ぐように配置されている。なお、台座３７５には、表側、もしくは側面側から視認可能な表示を設けることができる。
【００６５】
また、機器本体１０ｅは、透光性カバー７１の直下に配置されている液晶ディスプレイ（ＬＣＤ）などで構成される表示部７０と、透光性カバー７１の外縁部分を内側の凹部３８５で保持するリング状の台座３７５と、台座３７５を接続するようにトップケース３０の表側に設けられている台座取付部３３８と、を有している。機器本体１０ｅは、透光性カバー７１を介して、表示部７０の表示をユーザーが閲覧可能な構成としてもよい。つまり本実施形態の機器本体１０ｅでは、検出した位置情報や運動情報、或いは時刻情報等の種々の情報を表示部７０に表示し、当該表示を機器本体１０ｅの表側（トップ側）からユーザーに提示するものであってもよい。なお、透光性カバー７１および表示部７０の構成は、第１実施形態と同様であるので、本形態での説明を省略する。
【００６６】
機器本体１０ｅは、トップケース３０と、ボトムケース３３と、トップケース３０の開口部４０を塞ぐ透光性カバー７１と、に囲まれたケースの内側の密閉空間である内部空間３６が設けられている。そして、この内部空間３６に、表示部７０、リスト機器１を構成する要素部品である、例えば回路基板４５、ＧＰＳアンテナ９０、センサーの一例としての地磁気センサー５５、二次電池６０、および振動部９５などが収納されている。ただし、機器本体１０ｅは、図９および図１０に示す構成に限定されず、例えば気圧センサーなどの他のセンサーや他の電子部品などを追加してもよい。
【００６７】
機器本体１０ｅは、トップケース３０の表側、換言すればトップケース３０の開口部４０側に位置する外面３７２ｆを含む台座取付部３３８を有している。また、機器本体１０ｅは、トップケース３０の内側に突出する突起部３７２と、突起部３７２から更に内側に突出する載置部３７３とを有している。突起部３７２の表側には、外面３７２ｆが設けられ、台座３７５は、例えば接着剤や粘着剤などの緩衝部材としての接続部３７６によって外面３７２ｆに接続されている。また、載置部３７３の表側（透光性カバー７１側）には、表示部７０が載置されている。
【００６８】
環状（リング状）の台座３７５は、円周状の内側面３７５ａおよび内底面３７５ｂを備えている凹部３８５を内周側に有している。また、台座３７５は、内底面３７５ｂに配置方向に沿った裏面３７５ｒを備え、裏面３７５ｒが台座取付部３３８の外面３７２ｆに、緩衝性を有する接着剤または粘着剤によって構成されている接続部３７６によって接続されている。台座３７５は、例えば銅合金や鉄合金などの金属、もしくはプラスチックなどの樹脂などによって成形することができる。なお、台座３７５は、ベゼルとしての機能を併せて備えてもよい。
【００６９】
なお、接続部３７６を構成する緩衝性を有する接着剤または粘着剤としては、例えば合成ゴム系、シリコーン系、ポリイミド系、ウレタン系などの樹脂を主原料とし、硬化後の接着剤または粘着剤の状態において、自らが弾性変形可能な性質を有していることが好ましい。
【００７０】
透光性カバー７１は、その周縁に位置する外周側面７１ｓが台座３７５の内側面３７５ａと並ぶように配置され、周縁領域の部分の内面７１ｒが台座３７５の凹部３８５の内底面３７５ｂに、例えば接着剤や粘着テープなどの接続部材としての接続材料３７７によって接続されている。透光性カバー７１は、台座３７５が接続部３７６により台座取付部３３８の外面３７２ｆに接続されることによって、トップケース３０に接続されている。
【００７１】
このような構成により、透光性カバー７１を、接続部３７６により台座３７５を介して機器本体１０ｅ（トップケース３０）に確実に固定することができる。つまり、透光性カバー７１は、機器本体１０ｅ（トップケース３０）から脱落しないように保持される。
【００７２】
緩衝部材としての接続部３７６は、機器本体１０ｅに外部から衝撃等の外力が加わったとき、自らが弾性変形することによってその外力を吸収し、外力が透光性カバー７１に伝わらないようにする、所謂緩衝機能を有している。接続部３７６は、例えば常温でゴム状弾性を示すエラストマー（加硫ゴム（合成ゴム）、シリコーンゴム、ウレタン樹脂など）を用いて形成することができる。
【００７３】
以上説明した第２実施形態に係る携帯型電子機器としてのリスト機器の機器本体１０ｅによれば、台座３７５に装着された透光性カバー７１が緩衝機能を有する接続部３７６を介してトップケース３０に接続されていることによって、機器本体１０ｅに外部から衝撃等の外力が加わったとき、その外力を接続部３７６が弾性変形することによって吸収し、衝撃の透光性カバー７１への伝搬を低減することができる。これにより、外力（衝撃）によって透光性カバー７１に生じるクラックや割れなどを低減させることができる。
【００７４】
また、上述では、ユーザー（装着者）の所与の部位に装着される携帯型電子機器として、ユーザーの手首に装着されるリスト機器を例示して説明したが、次のような装着例を例示することができる。携帯型電子機器としては、例えば首に掛けるネックレス様の構成、胴体や足首などに装着する構成、もしくは携帯型情報端末のようにユーザーがポケットやバッグの中に保持する構成などであってもよい。
【００７５】
また、衛星測位システムとしてＧＰＳ（Global Positioning System）を用いて説明したが、他の全地球航法衛星システム（ＧＮＳＳ：Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１または２以上を利用してもよい。また、衛星測位システムの少なくとも１つにＷＡＡＳ（Wide Area Augmentation System）、ＥＧＮＯＳ（European Geostationary-Satellite Navigation Overlay Service）等の静止衛星型衛星航法補強システム（ＳＢＡＳ：Satellite-based Augmentation System）を利用してもよい。
【符号の説明】
【００７６】
１…携帯型電子機器としてのリスト機器、１０，１０ｂ，１０ｃ，１０ｄ，１０ｅ…機器本体、３０…トップケース、３２…第１のバンド部、３３…ボトムケース、３６…収容部としての内部空間、３７…第２のバンド部、３８…第１の凸部としてのカバー取付部、３８ａ…内周面、４０…開口部、４２…空間、４５…回路基板、４６…電子部品、５５…地磁気センサー、６０…二次電池、７０…表示部、７１…透光性カバー、７１ｆ…外面、７１ｒ…内面、７１ｓ…外周側面、７２…第２の凸部としての突起部、７２ｆ…上面、７３…載置部、７５…保持部材、７５ａ…内側面、７５ｂ…内底面、７５ｒ…裏面、７５ｓ…外周側面、７６…接続部材、８０，８１…操作ボタン、９０…ＧＰＳアンテナ、９５…振動部、１８１，３７６…緩衝部材としての接続部。
【図１】
2018179544.tif 000003
【図２】
2018179544.tif 000004
【図３】
2018179544.tif 000005
【図４】
2018179544.tif 000006
【図５】
2018179544.tif 000007
【図６】
2018179544.tif 000008
【図７】
2018179544.tif 000009
【図８】
2018179544.tif 000010
【図９】
2018179544.tif 000011
【図１０】
2018179544.tif 000012